(57)【要約】【課題】フィルム部材の取付及び保持に対する信頼性が高い照明器具を提供する。【解決手段】照明器具１は、光源３０と、光源３０からの光が通過する透光性のフィルム部材７０と、フィルム部材７０に対して光源３０と反対側に設けられたＣ形部材６０と、深さ方向が径方向に一致する円環状の溝８０とを備え、Ｃ形部材６０は、溝８０の、光源３０とは反対側の側面８１を構成し、フィルム部材７０は、円板部７１と、円板部７１の周縁に設けられ、溝８０に挿入される複数の突出部７２とを有し、溝８０に回転可能に保持されている。【選択図】図３
2019087509.tif 000002
【特許請求の範囲】
【請求項１】
光源と、
前記光源からの光が通過する透光性のフィルム部材と、
前記フィルム部材に対して前記光源と反対側に設けられたＣ字形状の枠部と、
深さ方向が径方向に一致する円環状の溝とを備え、
前記枠部は、前記溝の、前記光源とは反対側の側面を構成し、
前記フィルム部材は、
円板部と、
前記円板部の周縁に設けられ、前記溝に挿入される複数の突出部とを有し、
前記溝に回転可能に保持されている
照明器具。
【請求項２】
前記複数の突出部は、前記円板部の周縁の３ヶ所のみに等間隔で設けられている
請求項１に記載の照明器具。
【請求項３】
前記複数の突出部の各々の、前記円板部の周方向に沿った長さは、前記枠部のＣ字の開放部分の、前記周方向に沿った長さより長い
請求項１又は２に記載の照明器具。
【請求項４】
前記複数の突出部は、前記円板部の周縁から径方向に沿って外側に突出しており、
前記フィルム部材は、厚みが均一の平板である
請求項１〜３のいずれか１項に記載の照明器具。
【請求項５】
前記円板部の径は、前記枠部の内径以下の長さであり、
前記円板部の中心から、前記複数の突出部の各々の突出方向における先端部までの長さは、前記枠部の内径の半分より長い
請求項４に記載の照明器具。
【請求項６】
前記円板部の周縁は、前記複数の突出部の各々との接続部分において、対応する突出部の突出方向に対して直交する直線部を有する
請求項４又は５に記載の照明器具。
【請求項７】
さらに、
前記光源からの光が内側を通過する筒状部を有する器具本体と、
前記光源と前記フィルム部材との間に配置されたレンズとを備え、
前記レンズ、前記フィルム部材及び前記枠部は、前記光源側からこの順で前記筒状部の内部に配置され、
前記枠部は、前記レンズを保持する弾性部材である
請求項１〜６のいずれか１項に記載の照明器具。
【請求項８】
さらに、
前記光源からの光が内側を通過する筒状部を有する器具本体を備え、
前記枠部は、前記筒状部の一部であり、
前記溝は、前記筒状部の内面に設けられている
請求項１〜６のいずれか１項に記載の照明器具。
【請求項９】
前記フィルム部材は、スプレッドフィルタ又はカラーフィルタである
請求項１〜８のいずれか１項に記載の照明器具。
【発明の詳細な説明】
【技術分野】
【０００１】
本発明は、照明器具に関する。
【背景技術】
【０００２】
従来、照明器具として、例えば、ダウンライトのように天井に埋め込み配設されて下方に光を照射する天井埋込型の照明器具が知られている。ダウンライトなどの照明器具においては、スプレッドフィルタなどの配光調整用の光学部材が設けられる場合がある（例えば、特許文献１を参照）。
【先行技術文献】
【特許文献】
【０００３】
【特許文献１】特開２０１７−０５０１８８号公報
【発明の概要】
【発明が解決しようとする課題】
【０００４】
しかしながら、上記従来の照明器具では、スプレッドフィルタが正しく取り付けられないことがある。このように、従来の照明器具では、スプレッドフィルタなどのフィルム部材の取付及び保持に対する信頼性が低いという問題がある。
【０００５】
そこで、本発明は、フィルム部材の取付及び保持に対する信頼性が高い照明器具を提供することを目的とする。
【課題を解決するための手段】
【０００６】
上記目的を達成するため、本発明の一態様に係る照明器具は、光源と、前記光源からの光が通過する透光性のフィルム部材と、前記フィルム部材に対して前記光源と反対側に設けられたＣ字形状の枠部と、深さ方向が径方向に一致する円環状の溝とを備え、前記枠部は、前記溝の、前記光源とは反対側の側面を構成し、前記フィルム部材は、円板部と、前記円板部の周縁に設けられ、前記溝に挿入される複数の突出部とを有し、前記溝に回転可能に保持されている。
【発明の効果】
【０００７】
本発明によれば、フィルム部材の取付及び保持に対する信頼性が高い照明器具を提供することができる。
【図面の簡単な説明】
【０００８】
【図１】実施の形態に係る照明器具の外観を示す斜視図である。
【図２】実施の形態に係る照明器具の分解斜視図である。
【図３】実施の形態に係る照明器具の断面図である。
【図４】実施の形態に係る照明器具の断面の要部拡大図である。
【図５】実施の形態に係る照明器具が備えるＣ形部材の平面図である。
【図６】実施の形態に係る照明器具が備えるフィルム部材の平面図である。
【図７】実施の形態に係る照明器具が備えるＣ形部材とフィルム部材との大きさを対比して示す平面図である。
【図８】実施の形態に係る照明器具において、フィルム部材の取り付け方法を示す斜視図である。
【図９】実施の形態の変形例に係る照明器具の器具本体の筒状部の斜視図である。
【発明を実施するための形態】
【０００９】
以下では、本発明の実施の形態に係る照明器具について、図面を用いて詳細に説明する。なお、以下に説明する実施の形態は、いずれも本発明の一具体例を示すものである。したがって、以下の実施の形態で示される数値、形状、材料、構成要素、構成要素の配置及び接続形態、ステップ、ステップの順序などは、一例であり、本発明を限定する趣旨ではない。よって、以下の実施の形態における構成要素のうち、本発明の最上位概念を示す独立請求項に記載されていない構成要素については、任意の構成要素として説明される。
【００１０】
また、各図は、模式図であり、必ずしも厳密に図示されたものではない。したがって、例えば、各図において縮尺などは必ずしも一致しない。また、各図において、実質的に同一の構成については同一の符号を付しており、重複する説明は省略又は簡略化する。
【００１１】
また、本明細書において、垂直又は一致などの要素間の関係性を示す用語、及び、円形又は円環などの要素の形状を示す用語、並びに、数値範囲は、厳格な意味のみを表す表現ではなく、実質的に同等な範囲、例えば数％程度の差異をも含むことを意味する表現である。
【００１２】
また、本明細書及び図面において、ｘ軸、ｙ軸及びｚ軸は、三次元直交座標系の三軸を示している。各実施の形態では、ｚ軸方向を鉛直方向とし、ｚ軸に垂直な方向（ｘｙ平面に平行な方向）を水平方向としている。なお、ｚ軸の正方向を鉛直上方としている。
【００１３】
（実施の形態）
［概要］
まず、本実施の形態に係る照明器具の概要について、図１〜図４を用いて説明する。
【００１４】
図１は、本実施の形態に係る照明器具１の外観を示す斜視図である。
【００１５】
図２は、本実施の形態に係る照明器具１の分解斜視図である。なお、図２では、照明器具１が備える３枚の取付バネ９０を図示していない。また、器具本体１０と枠体２０とを固定した状態で図示している。
【００１６】
図３は、本実施の形態に係る照明器具１の断面図である。図３は、具体的には、照明器具１の光軸Ｊを含む断面を示している。
【００１７】
図４は、本実施の形態に係る照明器具１の断面の要部拡大図である。具体的には、図４は、図３の一点鎖線で囲まれた矩形の領域ＩＶを拡大して示している。なお、図４では、さらに、フィルム部材７０の突出部７２が挿入される溝８０の近傍を拡大して示している。
【００１８】
本実施の形態に係る照明器具１は、例えば、建物の天井などに埋め込み配設されることにより、床又は壁などの下方に向けて光を照射するダウンライトなどの埋込型照明器具である。本実施の形態では、照明器具１は、照明器具１から光が出射する方向（すなわち、光出射方向）を前方とし、この光出射方向の反対方向を後方としている。例えば、照明器具１が設置される天井面を基準にすると、天井面よりも床側の方向、すなわち、下方（ｚ軸の負方向）が前方であり、天井面よりも上側の方向、すなわち、上方（ｚ軸の正方向）が後方である。
【００１９】
図１〜図４に示すように、照明器具１は、器具本体１０と、枠体２０と、光源３０と、取付部材３３と、接続部材３７と、反射部材４０と、レンズ５０と、Ｃ形部材６０と、フィルム部材７０と、溝８０と、取付バネ９０とを備える。以下では、照明器具１が備える各構成要素の詳細について説明する。
【００２０】
［器具本体］
器具本体１０は、光源３０が内部に配置される部材である。本実施の形態では、器具本体１０は、光源３０が取り付けられる取付台である。器具本体１０は、光源３０が発生する熱を放熱するヒートシンクとしても機能する。したがって、器具本体１０は、例えば、金属材料などの熱伝導率の高い材料によって構成されている。具体的には、器具本体１０は、アルミニウムからなるアルミダイカスト製である。図３に示すように、器具本体１０は、セード部１１と、取付部１２と、放熱部１３とを備える。
【００２１】
セード部１１は、光源３０からの光が内側を通過する筒状部の一例である。具体的には、セード部１１は、取付部１２の周縁に設けられ、光源３０の光軸Ｊを囲んでいる。セード部１１の前方側端部から照明器具１の出射光が出射される。
【００２２】
図４に示すように、セード部１１の内面には、Ｃ形部材６０を支持する溝１４が設けられている。溝１４は、光軸Ｊを中心として、深さ方向が径方向に一致する円環状に設けられている。なお、深さ方向は、例えば、図４に示す断面においてはｘ軸の負方向であり、溝の開口から底面に向かう方向である。
【００２３】
取付部１２は、光源３０が取り付けられる台状の部分である。図３に示すように、取付部１２の前方側には、光源３０が配置され、取付部１２の後方側には、放熱部１３が設けられている。これにより、光源３０で発生する熱が、放熱部１３に効率良く伝達される。
【００２４】
放熱部１３は、光源３０で発生する熱を放熱する部分であり、複数のフィンを備える。放熱部１３は、取付部１２の後方側に設けられている。
【００２５】
［枠体］
枠体２０は、器具本体１０を天井などの被取付部に取り付けるための部材である。本実施の形態では、枠体２０は、器具本体１０のセード部１１を囲む略円筒状の部材である。
【００２６】
図２及び図３に示すように、枠体２０は、鍔２１を有する。鍔２１は、枠体２０の前方端から、径方向の外側に向かって延設された円環状の部分である。照明器具１は、天井板に設けられた貫通孔（取付穴）に挿入された状態で、鍔２１と複数の取付バネ９０とが貫通孔周りの天井板を挟持することにより、天井板に取り付けられる。
【００２７】
本実施の形態では、固定された枠体２０に対する器具本体１０の相対角度を変えることによって、器具本体１０からの出射光の出射方向を変えることができるように構成されている。具体的には、枠体２０は、器具本体１０に対して所定の軸を基準として回動可能に固定されている。本実施の形態に係る照明器具１は、いわゆるユニバーサルダウンライトである。
【００２８】
枠体２０は、例えば、アルミニウムなどの金属材料によって形成することができる。枠体２０は、例えば、アルミダイカスト製であるが、アルミ板の板金加工によって形成されてもよい。
【００２９】
［光源］
光源３０は、発光モジュールであって、所定の光を放射状に出射する光源である。本実施の形態では、光源３０は、ＬＥＤ（Ｌｉｇｈｔ  Ｅｍｉｔｔｉｎｇ  Ｄｉｏｄｅ）を有する発光モジュールである。光源３０は、例えば白色光を出射するように構成されている。
【００３０】
例えば、光源３０は、ＣＯＢ（Ｃｈｉｐ  Ｏｎ  Ｂｏａｒｄ）型ＬＥＤで構成されている。具体的には、光源３０は、図２及び図３に示すように、基台３１と、基台３１上に実装されたベアチップ（ＬＥＤチップ）である複数のＬＥＤ３２と、複数のＬＥＤ３２を封止する封止部材とを備える。封止部材には、例えば蛍光体が含まれている。なお、本実施の形態では、封止部材は全てのＬＥＤ３２を一括封止しているが、これに限られない。ライン状に配列された複数のＬＥＤ３２の配列方向に沿って複数本のライン状に封止部材を形成してもよい。
【００３１】
光源３０は、器具本体１０の取付部１２に取り付けられる。照明器具１において、光源３０の光軸Ｊの方向は鉛直方向（各図のｚ軸方向）である。
【００３２】
基台３１は、複数のＬＥＤ３２を実装するための実装基板であって、例えばセラミックス基板、樹脂基板又は絶縁被覆されたメタルベース基板などである。また、基台３１は、例えば平面視において矩形形状である平面を有する板状であり、基台３１の底面（後方面）が器具本体１０の取付部１２に取り付けられる。なお、基台３１には、複数のＬＥＤ３２（光源３０）を発光させるための直流電力を外部から受電するための一対の電極端子（正電極端子及び負電極端子）が形成されている。
【００３３】
［取付部材］
取付部材３３は、光源３０を器具本体１０の取付部１２に取り付けるための部材である。図２に示されるように、取付部材３３は、規制部３４及び爪状部３５を備える。
【００３４】
規制部３４は、光源３０の光軸Ｊに垂直な方向（ｘ軸方向及びｙ軸方向）の位置を規制する。規制部３４は、中央に開口部を有する矩形枠状の形状を有する。規制部３４の中央に形成された開口部は、光源３０に対応する形状を有し、当該開口部に光源３０が配置される。
【００３５】
取付部材３３は、取付部１２の光源３０が配置される側（前方側）の面に配置され、図２に示す接続部材３７及びねじ３８によって、取付部１２に固定される。より具体的には、取付部材３３の規制部３４には、貫通孔３６が形成されており、ねじ３８を、貫通孔３６を介して取付部１２に形成されたねじ穴に捻じ込むことにより、取付部材３３が取付部１２に対して固定される。これにより、取付部材３３及びその開口部に配置された光源３０が取付部１２に固定される。
【００３６】
爪状部３５は、反射部材４０を支持するための爪状の部分であり、図３に示すように、反射部材４０の被係止孔４１を係止する。本実施の形態では、取付部材３３は、２つの爪状部３５を備える。爪状部３５は、略Ｌ字型の形状を有しており、爪状部３５の端部の光軸Ｊから離れる向き突出した傾斜面（突起）が、被係止孔４１に挿入されることにより、爪状部３５が被係止孔４１を係止する。
【００３７】
取付部材３３は、例えば、ポリブチレンテレフタレート（ＰＢＴ）、ポリカーボネート（ＰＣ）などの樹脂材料を用いて形成することができる。
【００３８】
［接続部材］
接続部材３７は、光源３０へ電流を供給する配線（不図示）が接続される部材である。本実施の形態に係る照明器具１は、図２に示されるように、２つの接続部材３７を備え、一方の接続部材３７に高電位側の配線が、他方の接続部材３７に低電位側の配線が、それぞれ接続される。接続部材３７には、光源３０へ電流を供給する電極（不図示）が設けられている。当該電極が光源３０に形成された電極端子に接続される。
【００３９】
また、接続部材３７は、光源３０の位置を規制する機能も有する。接続部材３７には、ねじ３８が貫通する貫通孔が形成されており、当該貫通孔に挿入されたねじ３８によって、接続部材３７が取付部１２及び取付部材３３に固定される。その際、図３に示すように、接続部材３７の光軸Ｊ側の端部が、光源３０を取付部１２に向けて押さえることにより、光源３０の光軸Ｊに沿った方向（ｚ軸方向）における位置を規制する。
【００４０】
接続部材３７の筐体は、例えば、ＰＢＴ、ＰＣなどの樹脂材料を用いて形成することができる。また、接続部材３７の電極は、銅などの導電性部材を用いて形成することができる。
【００４１】
［反射部材］
反射部材４０は、図３に示すように、光源３０からの光が入射される側（ｚ軸の正側）の端部から、当該光が出射される側の端部に向かって内径が漸次大きくなるように構成された略筒状の形状を有する。反射部材４０の内面において、光源３０からの光が反射される。
【００４２】
図２及び図３に示すように、反射部材４０の外面側には、取付部材３３の爪状部３５に係止される被係止孔４１が設けられている。被係止孔４１は、反射部材４０の外面側に立設された壁面に設けられた孔である。被係止孔４１が爪状部３５に係止されることにより、反射部材４０は、取付部材３３に係止される。これにより、反射部材４０は、取付部材３３を介して器具本体１０の取付部１２に取り付けられる。
【００４３】
図２に示すように、反射部材４０の光出射側の端部には、３つの係止部４２が設けられている。係止部４２は、レンズ５０を係止する部分である。
【００４４】
反射部材４０は、例えばＰＢＴなど硬質の白色樹脂材料を用いて形成することができる。なお、反射部材４０は、内面にアルミニウムなどの金属膜が設けられてもよい。
【００４５】
［レンズ］
レンズ５０は、光源３０とフィルム部材７０との間に配置され、光源３０からの光の配光を制御する透光性の光学素子である。本実施の形態では、レンズ５０は、レンズ５０に入射する光を集光する集光レンズである。また、レンズ５０は、光出射側に形成されたレンズ構造がフレネル化されたフレネルレンズである。
【００４６】
図３に示すように、レンズ５０は、光源３０の前方に配置される。具体的には、レンズ５０は、光源３０と所定の間隔をあけて、光源３０の光出射側に配置される。したがって、レンズ５０は、光源３０から出射してレンズ５０に入射する光の配光を制御する。レンズ５０は、例えば、光源３０から出射する光をコリメートする。レンズ５０の光軸は、例えば、光源３０の光軸Ｊと略一致している。
【００４７】
レンズ５０は、所定のレンズ作用を有するように、所定の形状で形成されている。また、レンズ５０は、透光性材料を用いて形成されている。具体的には、レンズ５０は、アクリル（ＰＭＭＡ）、ＰＣなどの透明樹脂材料又はガラス材料などの透明材料を用いて、金型などによって所定の形状に成形される。
【００４８】
レンズ５０の光出射側の端部には、図２に示すように、３つの被係止部５１が設けられている。３つの被係止部５１がそれぞれ、３つの係止部４２によって係止されることにより、レンズ５０が反射部材４０に保持される。本実施の形態では、レンズ５０は、さらに、セード部１１に保持されたＣ形部材６０によって支持されている。
【００４９】
［Ｃ形部材］
Ｃ形部材６０は、フィルム部材７０に対して光源３０と反対側に設けられたＣ字形状の枠部の一例である。図３に示すように、Ｃ形部材６０は、器具本体１０のセード部１１内に配置されている。具体的には、図４に示すように、Ｃ形部材６０は、セード部１１の内面に設けられた溝１４内に配置されている。
【００５０】
本実施の形態では、Ｃ形部材６０は、レンズ５０を保持する弾性部材である。Ｃ形部材６０は、例えば、Ｃ形バネである。
【００５１】
図５は、本実施の形態に係る照明器具１が備えるＣ形部材６０の平面図である。具体的には、図５は、光出射側（ｚ軸の負側）から見たときのＣ形部材６０の平面視形状を示している。
【００５２】
図５に示すように、Ｃ形部材６０の平面視形状は、一部が開放された円環形状である。つまり、Ｃ形部材６０は、Ｃ字の開放部分である開放部６１を有する。Ｃ形部材６０の開放部６１を両端から押し狭めることで、Ｃ形部材６０は、弾性変形可能である。Ｃ形部材６０の外径を押し縮めた状態でセード部１１内に挿入し、溝１４の位置まで押し入れることにより、推し縮められたＣ形部材６０は、その復元力によって溝１４に嵌め入れられる。このようにして、Ｃ形部材６０は、セード部１１に固定される。
【００５３】
Ｃ形部材６０がセード部１１に固定された状態で、Ｃ形部材６０の平面視における中心は、例えば光軸Ｊを通過する。Ｃ形部材６０の内径Ｒ１は、セード部１１の内径より小さい。
【００５４】
本実施の形態では、Ｃ形部材６０の開放部６１は、フィルム部材７０を回転スライド挿入させる際の挿入口として機能する。開放部６１の周方向に沿った長さＬ１は、フィルム部材７０の突出部７２の周方向に沿った長さＬ２（図６を参照）より短い。
【００５５】
Ｃ形部材６０は、例えば、アルミニウム又はステンレスなどの金属材料を用いて形成されている。あるいは、Ｃ形部材６０は、樹脂材料を用いて形成されていてもよい。
【００５６】
［フィルム部材］
フィルム部材７０は、光源３０からの光が通過する透光性の光学部材である。例えば、フィルム部材７０は、光源３０からの光の配光を調整する。本実施の形態では、フィルム部材７０は、例えば、異方性拡散シートであり、所定の方向において、当該所定の方向と垂直な方向より光を大きく拡散させるスプレッドフィルタである。
【００５７】
フィルム部材７０は、溝８０に回転可能に保持されている。具体的には、フィルム部材７０は、光軸Ｊを中心に回転可能である。
【００５８】
本実施の形態では、図３に示すように、フィルム部材７０は、レンズ５０とＣ形部材６０との間に配置されている。具体的には、レンズ５０、フィルム部材７０及びＣ形部材６０は、光源３０側からこの順でセード部１１の内部に配置されている。
【００５９】
本実施の形態では、フィルム部材７０は、照明器具１に対して単独で着脱自在である。つまり、照明器具１を構成する部材のいずれも取り外すことなく、フィルム部材７０を取り付け及び取り外すことが可能である。
【００６０】
図６は、本実施の形態に係る照明器具１が備えるフィルム部材７０の一例を示す平面図である。具体的には、図６は、光出射側（ｚ軸の負側）から見たときのフィルム部材７０の平面視形状を示している。また、図６では、１つの突出部７２を拡大して図示している。
【００６１】
図６に示すように、フィルム部材７０は、円板部７１と、複数の突出部７２とを有する。本実施の形態では、フィルム部材７０は、３つのみの突出部７２を有する。
【００６２】
円板部７１は、平面視形状が略円形の平板状の部分である。円板部７１が溝８０に保持された状態で、円板部７１の平面視における中心は、例えば光軸Ｊを通過する。円板部７１の径Ｒ２は、Ｃ形部材６０の内径Ｒ１以下の長さである。つまり、円板部７１の径Ｒ２は、Ｃ形部材６０の内径Ｒ１に等しくてもよい。あるいは、円板部７１の径Ｒ２は、Ｃ形部材６０の内径Ｒ１より僅かに短くてもよい。
【００６３】
複数の突出部７２は、円板部７１の周縁に設けられており、図４に示すように、溝８０に挿入される。本実施の形態では、複数の突出部７２は、円板部７１の周縁から径方向に沿って外側に突出している。図６に示すように、複数の突出部７２は、円板部７１の周縁の３ヶ所のみに等間隔で設けられている。３つの突出部７２の各々の平面視形状は、互いに等しい。３つの突出部７２は、光軸Ｊを中心とする回転対称の位置に配置されている。具体的には、３つの突出部７２の各々の突出方向（図６の二点鎖線で示す）がなす角度は、１２０°である。
【００６４】
複数の突出部７２の各々は、円板部７１の周縁の長さＬ２の円弧の部分を、径方向に沿って外側に延設された部分である。突出部７２の幅Ｗは、略均一である。突出部７２は、円板部７１の周方向に長尺で、長さＬ２及び幅Ｗの帯状の部分である。なお、図６のでは、突出部７２の拡大部分において、円板部７１の周縁に沿った仮想的な円を破線で図示している。
【００６５】
なお、突出部７２の幅Ｗは、突出部７２の径方向の長さである。具体的には、突出部７２の幅Ｗは、円板部７１の中心（光軸Ｊ）から、突出部７２の突出方向における先端部までの長さＲ３と、円板部７１の半径との差分に相当する。すなわち、Ｗ＝Ｒ３−（Ｒ２／２）である。本実施の形態では、長さＲ３は、Ｃ形部材６０の内径Ｒ１の半分より短く、溝８０の底面８３が構成する円環の半径以下である。
【００６６】
複数の突出部７２の各々の、円板部７１の周方向に沿った長さＬ２は、Ｃ形部材６０の開放部６１の周方向に沿った長さＬ１より長い。例えば、長さＬ２は、長さＬ１の１．２倍以上であるが、１．５倍以上でもよく、あるいは、２倍以上でもよい。なお、長さＬ２は、円板部７１の外周に相当する長さπ×Ｒ２の１／３より短い。長さＬ２は、π×Ｒ２の１／６より短くてもよく、１／８より短くてもよい。
【００６７】
図６に示すように、円板部７１の周縁は、複数の突出部７２の各々との接続部分において、複数の直線部７３を有する。１つの突出部７２に対して、２つの直線部７３が設けられている。２つの直線部７３は、対応する突出部７２の突出方向に対して直交する直線である。なお、直線部７３と突出部７２との接続部分には、アールが設けられているが、アールは設けられていなくてもよい。また、円板部７１の周縁には、直線部７３が設けられていなくてもよい。
【００６８】
円板部７１の周縁は、直線部７３が設けられていることで、円板部７１の円周の一部が切り欠かれた形状となる。これにより、突出部７２の突出量を長くすることができるので、円板部７１と突出部７２との接続部分で、突出部７２が折り曲がりやすくなる。なお、突出量は、例えば、２つの直線部７３を結ぶ線と突出部７２の突出方向における先端部との距離で示される。
【００６９】
本実施の形態では、フィルム部材７０は、厚みが均一の平板である。具体的には、フィルム部材７０の両面がそれぞれ面一である。フィルム部材７０は、可撓性を有する。少なくとも円板部７１と複数の突出部７２の各々との接続部分において、フィルム部材７０は折り曲げ可能である。
【００７０】
図７は、本実施の形態に係る照明器具１が備えるＣ形部材６０とフィルム部材７０との大きさを対比して示す平面図である。具体的には、図７は、光出射側（ｚ軸の負側）から見たときのＣ形部材６０及びフィルム部材７０の平面視形状を示している。図７では、フィルム部材７０の形状を分かりやすくするため、ドットの網掛けを付している。
【００７１】
図７に示すように、Ｃ形部材６０の内周と、フィルム部材７０の円板部７１の周縁とは、略一致している。Ｃ形部材６０の後方には、フィルム部材７０の複数の突出部７２のみが位置している。
【００７２】
突出部７２の周方向の長さＬ２が、Ｃ形部材６０の開放部６１の長さＬ１より長いので、図７に示すように、突出部７２を、開放部６１に対して光軸Ｊに沿った方向に押し入れることができない。本実施の形態では、フィルム部材７０を回転スライドさせながら、複数の突出部７２を開放部６１に挿入することで、フィルム部材７０を溝８０に保持させる。詳細については、図８を用いて後で説明する。
【００７３】
［溝］
溝８０は、深さ方向が径方向に一致する円環状の溝である。図４に示すように、溝８０は、２つの側面８１及び８２と、底面８３とを有する。なお、溝８０の深さ方向とは、側面８１及び８２の底面８３の反対側の端部（開口端）から底面８３に向かう方向である。具体的には、図４において、溝８０の深さ方向は、ｘ軸の正方向である。本実施の形態では、溝８０は、Ｃ形部材６０と、セード部１１とによって形成されている。
【００７４】
図４に示すように、Ｃ形部材６０は、溝８０の光源３０とは反対側の側面８１を構成している。具体的には、Ｃ形部材６０の光源３０側の面が、溝８０の側面８１に相当する。
【００７５】
また、セード部１１の一部が側面８２を構成している。具体的には、側面８２は、セード部１１の内面に設けられた溝１４の光源側の側面に相当する。
【００７６】
底面８３は、セード部１１の内面に設けられた溝１４の底面の一部である。底面８３は、セード部１１の内面に沿って円環状に設けられている。底面８３が形成する円環の半径は、図６に示すフィルム部材７０の長さＲ３以上である。
【００７７】
なお、レンズ５０が、溝８０の光源３０側の側面８２を構成していてもよい。具体的には、レンズ５０の光出射面の外周縁に沿った円環状の部分が、溝８０の側面８２に相当する。つまり、フィルム部材７０は、レンズ５０とＣ形部材６０とに挟持されていてもよい。
【００７８】
［取付バネ］
取付バネ９０は、天井に設けられた取付穴に照明器具１を取り付けるために用いられる。具体的には、取付バネ９０の復元力を利用して、取付バネ９０と枠体２０の鍔２１とで天井板を挟持することで、照明器具１を取り付けることができる。
【００７９】
取付バネ９０は、鉄などの金属材料を用いてプレス加工などによって長尺状の細板形状に成形されている。本実施の形態では、図１に示すように、照明器具１は、３つの取付バネ９０を備えるが、取付バネ９０の個数及び位置はこれに限定されない。
【００８０】
［フィルム部材の取り付け方法］
続いて、フィルム部材７０の取り付け方法について説明する。
【００８１】
図８は、本実施の形態に係る照明器具１において、フィルム部材７０の取り付け方法を示す斜視図である。なお、図８では、照明器具１が備える構成要素のうち、フィルム部材７０、セード部１１、Ｃ形部材６０及び溝８０のみを模式的に抜き出して示している。また、フィルム部材７０が備える３つの突出部７２をそれぞれ、突出部７２ａ、突出部７２ｂ及び突出部７２ｃとして図示している。また、図８の（ａ）〜（ｄ）の各々に示す白抜きの矢印は、フィルム部材７０を動かす方向（例えば、回転方向）を示している。
【００８２】
本実施の形態では、Ｃ形部材６０の開放部６１を利用して、フィルム部材７０を回転スライドさせながら、Ｃ形部材６０の後方に設けられた溝８０にフィルム部材７０を挿入する。
【００８３】
図８の（ａ）に示すように、フィルム部材７０の突出部７２ａをＣ形部材６０の開放部６１に対して斜め方向に挿入する。具体的には、フィルム部材７０を回転させるようにして、突出部７２ａの周方向の一端から開放部６１に挿入する。開放部６１に挿入された突出部７２ａは、そのままＣ形部材６０の後方（挿入方向における奥側）に位置する溝８０にスライド挿入される。このとき、フィルム部材７０は可撓性を有するので、突出部７２ａを円板部７１に対して折り曲げながら、かつ、円板部７１を挿入しやすい形状に折り曲げながら、突出部７２ａを容易に溝８０にスライド挿入することができる。
【００８４】
次に、図８の（ｂ）に示すように、突出部７２ａの全体が溝８０に挿入された状態で、フィルム部材７０を回転させる。フィルム部材７０を回転させながら、次の突出部７２ｂを同様にして、開放部６１に挿入する。
【００８５】
そのままフィルム部材７０を回転させることで、図８の（ｃ）に示すように、突出部７２ｂの全体も溝８０に挿入される。突出部７２ａ及び突出部７２ｂ各々の全体が溝８０に挿入された状態で、さらにフィルム部材７０を回転させることで、最後の突出部７２ｃを同様にして、開放部６１に挿入する。
【００８６】
これにより、図８の（ｄ）に示すように、３つの突出部７２ａ〜７２ｃが溝８０に挿入される。フィルム部材７０は、溝８０によって回転可能に保持される。なお、図８では、反時計回りにフィルム部材７０を回転させたが、時計回りに回転させてもよい。フィルム部材７０を取り外す場合は、フィルム部材７０を回転させながら、突出部７２ａ〜７２ｃを順に開放部６１から滑り出させればよい。
【００８７】
以上のように、本実施の形態に係る照明器具１によれば、フィルム部材７０を容易に取り付け、及び、取り外すことができる。
【００８８】
［効果など］
以上のように、本実施の形態に係る照明器具１は、光源３０と、光源３０からの光が通過する透光性のフィルム部材７０と、フィルム部材７０に対して光源３０と反対側に設けられたＣ字形状の枠部の一例であるＣ形部材６０と、深さ方向が径方向に一致する円環状の溝８０とを備える。Ｃ形部材６０は、溝８０の、光源３０とは反対側の側面を構成している。フィルム部材７０は、円板部７１と、円板部７１の周縁に設けられ、溝８０に挿入される複数の突出部７２とを有する。フィルム部材７０は、溝８０に回転可能に保持されている。
【００８９】
これにより、Ｃ形部材６０の開放部６１を利用して、フィルム部材７０を回転スライドさせながら溝８０に挿入することができる。フィルム部材７０を押し入れる場合に比べて、複数の突出部７２が適切に溝８０に挿入されたか否かを容易に判断することができるので、フィルム部材７０の取り付けミスが発生する可能性を抑制することができる。また、溝８０に保持されたフィルム部材７０をＣ形部材６０が支持することができるので、フィルム部材７０の脱離を抑制することができる。このように、本実施の形態によれば、フィルム部材７０の取付及び保持に対する信頼性が高い照明器具１を実現することができる。
【００９０】
また、例えば、複数の突出部７２は、円板部７１の周縁の３ヶ所のみに等間隔で設けられている。
【００９１】
これにより、３つの突出部７２によって３ヶ所でバランス良くフィルム部材７０が保持される。したがって、フィルム部材７０の脱離が抑制されて、フィルム部材７０の取付及び保持に対する信頼性の高い照明器具１を実現することができる。
【００９２】
また、例えば、複数の突出部７２の各々の、円板部７１の周方向に沿った長さＬ２は、Ｃ形部材６０のＣ字の開放部分である開放部６１の、周方向に沿った長さＬ１より長い。
【００９３】
これにより、フィルム部材７０の突出部７２の長さＬ２がＣ形部材６０の開放部６１の長さＬ１より長いので、フィルム部材７０の取り付け後に照明器具１に振動などが加わったとしても、開放部６１から突出部７２が抜け落ちにくい。このため、フィルム部材７０が脱離する可能性が極めて小さくなる。また、突出部７２の長さＬ２が開放部６１の長さＬ１より長いことで、開放部６１を介して突出部７２をそのまま押し入れることができなくなる。これにより、フィルム部材７０の回転スライド挿入をユーザなどに促すことができる。
【００９４】
また、例えば、複数の突出部７２は、円板部７１の周縁から径方向に沿って外側に突出している。フィルム部材７０は、厚みが均一の平板である。
【００９５】
これにより、フィルム部材７０の保持に必要なスペースの厚さ、すなわち、溝８０の幅を、フィルム部材７０の板厚に実質的に等しくすることができるので、フィルム部材７０のがたつきを抑制することができる。
【００９６】
また、例えば、円板部７１の径Ｒ２は、Ｃ形部材６０の内径Ｒ１以下の長さである。円板部７１の中心から、複数の突出部７２の各々の突出方向における先端部までの長さＲ３は、Ｃ形部材６０の内径Ｒ１の半分より長い。
【００９７】
これにより、突出部７２のみが溝８０内に挿入されるので、フィルム部材７０の回転スライド挿入を容易に行うことができる。
【００９８】
また、例えば、円板部７１の周縁は、複数の突出部７２の各々との接続部分において、対応する突出部７２の突出方向に対して直交する直線部７３を有する。
【００９９】
これにより、突出部７２の長さを確保することができるので、突出部７２の可撓性を高めることができる。具体的には、突出部７２と円板部７１との接続部分でフィルム部材７０を折り曲げやすくなるので、フィルム部材７０の回転スライド挿入が容易になる。
【０１００】
また、例えば、本実施の形態に係る照明器具１は、さらに、光源３０からの光が内側を通過するセード部１１を有する器具本体１０と、光源３０とフィルム部材７０との間に配置されたレンズ５０とを備える。レンズ５０、フィルム部材７０及びＣ形部材６０は、光源３０側からこの順でセード部１１の内部に配置されている。Ｃ形部材６０は、レンズ５０を保持する弾性部材である。
【０１０１】
これにより、Ｃ形部材６０の弾性力によってレンズ５０を強固に保持することができる。Ｃ形部材６０を取り外さなくても、フィルム部材７０の挿入を行うことができるので、Ｃ形部材６０として、より弾性力の強い部材を利用することができる。したがって、レンズ５０の保持力を更に高めることができる。
【０１０２】
また、例えば、フィルム部材７０は、スプレッドフィルタである。
【０１０３】
これにより、ユーザなどの要求に応じて、照明器具１からの光の配光を容易に変更することができる。なお、フィルム部材７０は、カラーフィルタであってもよい。例えば、フィルム部材７０は、白色光を赤色、緑色、青色などの有色に変換するフィルタであってもよい。あるいは、フィルム部材７０は、白色光の色温度を変換するフィルタであってもよい。
【０１０４】
（変形例）
以下では、実施の形態の変形例について説明する。
【０１０５】
上記の実施の形態では、筒状部とＣ字形状の枠部とが別体で構成されている例について示したが、これに限らない。本変形例では、Ｃ字形状の枠部が筒状部と一体に構成されている。以下では、実施の形態との共通点を中心に説明し、相違点の説明を省略又は簡略化する。
【０１０６】
図９は、本変形例に係る照明器具の器具本体の筒状部１１１の斜視図である。本変形例では、筒状部１１１の一部が、Ｃ字形状の枠部１６０である。また、溝１８０は、筒状部１１１の内面に設けられている。
【０１０７】
筒状部１１１は、実施の形態１に係るセード部１１と同様に、略円筒状の部分である。なお、筒状部１１１の形状は、略円錐台筒状であってもよい。
【０１０８】
Ｃ字形状の枠部１６０は、筒状部１１１の光出射側（前方）の端部１１１ａ及び内面１１１ｂを含む部分である。枠部１６０は、図９に示すように、開放部１６１を有する。開放部１６１は、筒状部１１１の前方の端部１１１ａから内面１１１ｂの一部を後方に向かって切り欠いた形状を有する。
【０１０９】
溝１８０は、枠部１６０の後方側に設けられている。溝１８０の前方側の側面１８１は、枠部１６０の一部、すなわち、筒状部１１１の一部が構成している。溝１８０の後方側の側面１８２は、筒状部１１１の一部が構成している。溝１８０と開放部１６１とは連続している。このため、実施の形態と同様に、フィルム部材７０の突出部７２を、開放部１６１に対して挿入し、フィルム部材７０を回転させることで溝１８０に挿入することができる。
【０１１０】
以上のように、本変形例に係る照明器具では、例えば、光源３０からの光が内側を通過する筒状部１１１を有する器具本体を備える。枠部１６０は、筒状部１１１の一部である。溝１８０は、筒状部１１１の内面に設けられている。
【０１１１】
これにより、部品点数を削減することができ、照明器具を軽量化することができる。
【０１１２】
（その他）
以上、本発明に係る照明器具について、上記の実施の形態及びその変形例に基づいて説明したが、本発明は、上記の実施の形態に限定されるものではない。
【０１１３】
例えば、フィルム部材７０が備える突出部７２の個数は３つに限られない。フィルム部材７０は、２つのみの突出部７２を備えてもよく、４つ以上の突出部７２を備えていてもよい。また、複数の突出部７２は、等間隔に設けられていなくてもよい。例えば、３つの突出部７２のうち２つの突出部７２は、他の１つの突出部７２よりも狭い間隔で設けられていてもよい。
【０１１４】
また、例えば、突出部７２の周方向の長さＬ２は、Ｃ形部材６０の開放部６１の長さＬ１と等しくてもよい。あるいは、長さＬ２は、長さＬ１より短くてもよい。この場合、１つ目の突出部７２は、フィルム部材７０を回転させなくても開放部６１に挿入することができる。
【０１１５】
また、例えば、フィルム部材７０の円板部７１の一部が溝８０内に配置されていてもよい。例えば、円板部７１の径Ｒ２は、Ｃ形部材６０の内径Ｒ１より大きくてもよい。
【０１１６】
また、例えば、上記の実施の形態では、光源３０がＣＯＢ型のＬＥＤモジュールである例を説明したが、これに限らない。例えば、光源３０は、ＬＥＤ３２として、ＳＭＤ（Ｓｕｆａｃｅ  Ｍｏｕｎｔ  Ｄｅｖｉｃｅ）型のＬＥＤを備えてもよい。あるいは、光源３０は、ＬＥＤ３２の代わりに、有機ＥＬ（Ｅｌｅｃｔｒｏ  Ｌｕｍｉｎｅｓｃｅｎｃｅ）素子又はレーザ素子などの他の固体発光素子を備えてもよい。
【０１１７】
また、例えば、照明器具１は、ダウンライトに限らず、スポットライト、シーリングライトなどであってもよい。
【０１１８】
また、本発明は、例えば、照明器具１に対するフィルム部材７０の取り付け方法としても実現することができる。具体的には、Ｃ字状の枠部（例えば、Ｃ形部材６０）の開放部６１に、フィルム部材７０を回転させながら、フィルム部材７０の複数の突出部７２のうちの１つを斜め方向に挿入する。さらに、フィルム部材７０を回転させながら、挿入した突出部７２をＣ形部材６０の後方に位置する溝８０に沿ってスライドさせて、残りの突出部７２を順次、開放部６１を介して溝に挿入する。これにより、フィルム部材７０を溝８０に取り付けることができる。
【０１１９】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１２０】
１  照明器具
１０  器具本体
１１  セード部（筒状部）
３０  光源
５０  レンズ
６０  Ｃ形部材（枠部）
６１、１６１  開放部
７０  フィルム部材
７１  円板部
７２、７２ａ、７２ｂ、７２ｃ  突出部
７３  直線部
８０、１８０  溝
８１、１８１  側面
１１１  筒状部
１６０  枠部
【図１】
2019087509.tif 000003
【図２】
2019087509.tif 000004
【図３】
2019087509.tif 000005
【図４】
2019087509.tif 000006
【図５】
2019087509.tif 000007
【図６】
2019087509.tif 000008
【図７】
2019087509.tif 000009
【図８】
2019087509.tif 000010
【図９】
2019087509.tif 000011